(57)【特許請求の範囲】
【請求項１】
被検眼眼底を照明する照明光学系と、前記被検眼眼底を観察撮影する観察撮影光学系とを備え、前記照明光学系は、蛍光撮影用の赤外レーザ光源とキセノンランプとを有する眼科撮影装置であって、
蛍光初期に前記赤外レーザ光源により前記被検眼眼底を照明して動画撮影をする手段と、
蛍光後期に前期キセノンランプにより前記被検眼眼底を照明して静止画撮影をする手段とを備えたことを特徴とする眼科撮影装置。
【請求項２】
蛍光撮影開始後の経過時間を測定するタイマと、該タイマの出力に基づいて所定時間経過後に前記赤外レーザ光源による照明撮影から前記キセノンランプによる照明撮影に切り替える制御手段とを備えたことを特徴とする請求項１に記載の眼科撮影装置。
【請求項３】
前記被検眼眼底からの蛍光光量を検知する光センサと、該光センサの出力に基づいて前記赤外レーザによる照明撮影から前記キセノンランプによる照明撮影に切り替える制御手段とを備えたことを特徴とする請求項１に記載の眼科撮影装置。
【発明の詳細な説明】
【０００１】
【発明の属する技術分野】
本発明は、被検眼眼底を蛍光撮影する眼科撮影装置に関する。
【０００２】
【従来の技術】
従来から、眼科撮影装置には、静脈注射によって血管中に注入された蛍光剤を照明光により励起させ、被検眼眼底を蛍光撮影するものが知られている。この蛍光撮影時には、眼底の血管内に流入してくる蛍光剤の量は、蛍光剤の注入時から一定時間経過後に急激に増大してその後徐々に減少するため、蛍光剤の流量に基づく蛍光光量は図４に示すように経時的に変化する。
【０００３】
その初期期間Ｔでは、蛍光剤は最初に太い血管に流入し、その後毛細血管に流入していくので、蛍光剤の流入状態は激しく変化する（蛍光初期）。この変化を細かく観察するためには、初期期間Ｔの短時間内に何枚もの撮影を行う必要があるので、ＴＶカメラ等により動画撮影を行うのが便利である。また、初期期間Ｔでは血管中の蛍光剤の量が多いことから、蛍光剤による発光光量（蛍光光量）も多くなり、照明光量は比較的低照度で足りる。
【０００４】
一方、蛍光撮影開始後所定時間ｔ１が経過して撮影が中期に差し掛かると、初期において既に血流の状態は十分に観察しているので動画撮影を継続する必要はなく、静止画撮影を５〜１０分間隔で行えば十分である。また、この中期以降（蛍光後期）は、血管内の蛍光剤の量が徐々に減少していき、これに伴い発光光量も減少していくので、照明光量を増加させる必要がある。
【０００５】
このため、従来の眼科撮影装置では、初期の段階では照明光源の光量を抑えてＴＶカメラで撮影するとともに、中期以降は蛍光剤の減少に合わせて照明光源の光量を増大させ、スチルカメラで撮影することが行われている。また、このような赤外蛍光の照明光源としては、広い波長域の光を発するハロゲンランプ等のランプと、蛍光の励起光を中心波長とするレーザ光を発する半導体レーザとが提案されており、前者の場合には蛍光の励起光のみを透過させるエキサイタフィルタと組み合わせて使用することが一般的である。
【０００６】
【発明が解決しようとする課題】
しかしながら、ランプ光源は高出力のものでも安価であるという利点があるが、蛍光撮影時にエキサイタフィルタにより不要な波長の光がカットされるため、照明の効率が悪いという問題がある。
【０００７】
これに対して、半導体レーザ光源を使用する場合には、エキサイタフィルタが不要となるため照明の効率は高まるが、半導体レーザは一般に低出力であるためｔ１以降では光量が不足し、コントラストの高い画像が得られない。このため、高出力の半導体レーザを撮影用光源として使用することも考えられるが、このような高出力の半導体レーザは非常に高価であるので、コストが著しく上昇するという新たな問題が生じる。
【０００８】
本発明は、上記の事情に鑑みて為されたもので、蛍光初期と蛍光後期とで光源を使い分けることにより、コストの増大を抑制しつつ照明の効率を確保することのできる眼科撮影装置を提供することを課題としている。
【０００９】
【課題を解決するための手段】
上記課題を解決するために、請求項１の発明は、被検眼眼底を照明する照明光学系と、前記被検眼眼底を観察撮影する観察撮影光学系とを備え、前記照明光学系は、蛍光撮影用の赤外レーザ光源とキセノンランプとを有する眼科撮影装置であって、
蛍光初期に前記赤外レーザ光源により前記被検眼眼底を照明して動画撮影をする手段と、
蛍光後期に前期キセノンランプにより前記被検眼眼底を照明して静止画撮影をする手段とを備えたことを特徴とする。
【００１０】
請求項２の発明は、請求項１に記載の眼科撮影装置において、蛍光撮影開始後の経過時間を測定するタイマと、該タイマの出力に基づいて所定時間経過後に前記赤外レーザによる照明撮影から前記キセノンランプによる照明撮影に切り替える制御手段とを備えたことを特徴とする。
【００１１】
請求項３の発明は、前記被検眼眼底からの蛍光光量を検知する光センサと、該光センサの出力に基づいて前記赤外レーザによる照明撮影から前記キセノンランプによる照明撮影に切り替える制御手段とを備えたことを特徴とする。
【００１３】
【発明の実施の形態】
本発明の実施の形態を図面に基づいて説明する。
【００１４】
図１は、本発明に係る眼科撮影装置としての眼底カメラの光学系を示す。この眼底カメラは、図示を略す撮影モード切換スイッチの切換えにより、被検眼Ｅの眼底Ｅｒをカラー撮影、可視蛍光撮影、赤外蛍光撮影することができる。
【００１５】
図１において、１は照明光学系、２は観察撮影光学系である。照明光学系１は観察光源としてのハロゲンランプ３、集光レンズ４、撮影用光源としてのキセノンランプ５、集光レンズ６、可視蛍光撮影用のエキサイタフィルタ７、赤外蛍光撮影用のエキサイタフィルタ７’、光源ユニット８、リング絞り９、リレーレンズ１０を有する。
【００１６】
エキサイタフィルタ７，７’は照明光学系１の光路Ｏ１に対し、後述のように選択的に挿入・離脱される。エキサイタフィルタ７，７’はそれぞれ図２に符号Ｑ１、Ｑ２で示す透過特性を有する。
【００１７】
光源ユニット８は位置決め部材１１に設けられ、この位置決め部材１１に沿って照明光学系１の光路Ｏ１に対して挿入・離脱される。位置決め部材１１の端部には、光源ユニット８が挿入されているか否かを検知するためのマイクロスイッチ１２が設けられている。このマイクロスイッチ１２は、光源ユニット８が照明光学系１の光路Ｏ１に挿入されるとオンとなり、光路Ｏ１から離脱されるとオフとなる。
【００１８】
光源ユニット８は、撮影用光源としてのレーザーダイオード１３、集光・整形レンズ系１４、ミラー１５が筐体１６内に設けられてなる。波長をパラメータとしたレーザーダイオード１３の出力分布は、図３に符号Ｑ５で示すように、波長７９０ｎｍの近傍にピークを有する。なお、図３において、符号Ｑ６はハロゲンランプ３の出力分布を、符号Ｑ７はキセノンランプ５の出力分布を示す。
【００１９】
そのレーザーダイオード１３は、マイクロスイッチ１２がオンの状態にあるときにスイッチ１７を介して制御回路１８に接続されるようになっている。一方、マイクロスイッチ１２がオフの状態にあるときには、キセノンランプ５がスイッチ１７により制御回路１８に接続される。この制御回路１８にはタイマが内蔵されているとともに、撮影スイッチ１９及びハロゲンランプ３が接続されている。ハロゲンランプ３、キセノンランプ５、レーザーダイオード１３の点灯・消灯状態の制御及び光量調整は、その制御回路１８によりなされるようになっている。
【００２０】
観察撮影光学系２は、対物レンズ２０、穴あきミラー２１、可視蛍光撮影用のバリアフィルタ２２、赤外蛍光撮影用のバリアフィルタ２２’、合焦レンズ２３、結像レンズ２４、クイックリターンミラー２５、肉眼観察系２６、記録系２７を有する。
【００２１】
バリアフィルタ２２，２２’は、照明光学系１の光路Ｏ１に対するエキサイタフィルタ７，７’の挿脱に伴って、観察撮影光学系２の光路Ｏ２に挿入・離脱される。バリアフィルタ２２，２２’は、図２に符号Ｑ３、Ｑ４で示す透過特性を有する。
【００２２】
肉眼観察系２６は、ミラー２８，２９、接眼レンズ３０からなる。記録系２７は、フィールドレンズ３１、ミラー３２、ＴＶリレーレンズ３３、ＴＶカメラ３４、ＴＶモニタ３５、画像記録装置３６から構成されている。
【００２３】
この実施の形態に係る眼底カメラでは、カラー撮影モードでの撮影時、可視蛍光撮影モードでの撮影時、赤外蛍光撮影モードであって蛍光後期における撮影時にはキセノンランプ５が撮影用光源として使用され、赤外蛍光撮影モードであって蛍光初期における撮影時には光源ユニット８のレーザーダイオード１３が撮影用光源として使用される。
【００２４】
すなわち、上記撮影モード切換スイッチによりカラー撮影モードが選択されると、エキサイタフィルタ７，７’は照明光学系１の光路Ｏ１から退避し、バリアフィルタ２２，２２’は観察撮影光学系２の光路Ｏ２から退避する。このとき、光源ユニット８は照明光学系１の光路Ｏ１から離脱した状態にあってマイクロスイッチ１２がオフの状態にあり、スイッチ１７はキセノンランプ５の側に接続されている。
【００２５】
制御回路１８によりハロゲンランプ３が発光すると、その照明光は集光レンズ４，６及びリング絞り９を通過する。リング絞り９を通過して環状となった照明光は、リレーレンズ１０、穴あきミラー２１、対物レンズ２０を経て被検眼Ｅの瞳孔Ｅｐを通過し、眼底Ｅｒを照明する。眼底Ｅｒからの反射光は、対物レンズ２０、穴あきミラー２１の穴部２１ａ、合焦レンズ２３、結像レンズ２４を経て、クイックリターンミラー２５により観察時には肉眼観察系２６に、撮影時には記録系２７に導かれる。撮影時には撮影用光源であるキセノンランプ５が、撮影スイッチ１９の操作に呼応して瞬間的に発光し、画像記録装置３６に眼底像が記録される。
【００２６】
撮影モード切換スイッチにより可視蛍光撮影モードが選択されると、エキサイタフィルタ７、バリアフィルタ２２がそれぞれ照明光学系１の光路Ｏ１、観察撮影光学系２の光路Ｏ２に挿入される。また、クイックリターンミラー２５が図１に実線で示す状態に固定され、眼底Ｅｒからの反射光が記録系２７に導かれる。この可視蛍光撮影時には、カラー撮影時と同様に、光源ユニット８が照明光学系１の光路Ｏ１から離脱した状態にあってマイクロスイッチ１２がオフの状態にあり、スイッチ１７はキセノンランプ５の側に接続されている。このキセノンランプ５は、撮影スイッチ１９の操作に呼応して瞬間的に発光し、画像記録装置３６に眼底像が記録される。
【００２７】
撮影モード切換スイッチにより赤外蛍光撮影モードが選択されると、照明光学系１の光路Ｏ１、観察撮影光学系２の光路Ｏ２にはそれぞれエキサイタフィルタ７’、バリアフィルタ２２’が挿入されて赤外蛍光撮影が開始される。
【００２８】
その蛍光初期には、光源ユニット８が照明光学系１に自動的に挿入されてマイクロスイッチ１２がオンとなり、スイッチ１７の接続がキセノンランプ５の側から光源ユニット８の側へと切り替えられる。そして、制御回路１８によりレーザーダイオード１３は連続発振状態となり、ハロゲンランプ３は消灯状態となる。また、クイックリターンミラー２５は、可視蛍光撮影時と同様に観察撮影光学系２の光路Ｏ２に常に挿入されたままの状態となり、眼底Ｅｒからの反射光は記録系２７に導かれる。制御回路１８に内蔵されたタイマは、マイクロスイッチ１２のオンに伴い計時を開始する。
【００２９】
レーザーダイオード１３から出射されたレーザー光は、集光レンズ１４ａ、円錐プリズム１４ｂ、整形レンズ１４ｃからなる集光・整形レンズ系１４により平行光束となって、ミラー１５によりリング絞り９に導かれる。リング絞り９を通過したレーザー光は環状の照明光として、リレーレンズ１０、穴あきミラー２１、対物レンズ２０を経て眼底Ｅｒを照明する。眼底Ｅｒからの赤外蛍光は、対物レンズ２０、穴あきミラー２１の穴部２１ａ、バリアフィルタ２２’を通過して合焦レンズ２３、結像レンズ２４に導かれ、クイックリターンミラー２５により記録系２７に向けて反射される。この反射光はフィールドレンズ３１に導かれ、フィールドレンズ３１には蛍光眼底像が一旦空中結像される。この蛍光眼底像は、反射ミラー３２、ＴＶリレーレンズ３３によりリレーされ、ＴＶカメラ３４に受像される。ＴＶカメラ３４の受像出力はＴＶモニタ３５に表示され、検者はＴＶモニタ３５に映し出された蛍光眼底像３７を観察しながらピント調整を行うことができる。蛍光眼底像３７は、ここでは、画像記録装置３６に動画として記録される。
【００３０】
制御回路１８に内蔵されたタイマが所定時間、例えば１０分を計時すると、光源ユニット８は蛍光初期から蛍光後期に移行したとして照明光学系１の光路Ｏ１から離脱される。これにより、マイクロスイッチ１２がオフとなって、スイッチ１７が光源ユニット８に接続された状態からキセノンランプ５に接続された状態に切り換えられるとともに、ハロゲンランプ３が点灯状態となる。
【００３１】
この蛍光後期では、撮影スイッチ１９の操作に伴いキセノンランプ５が発光し、エキサイタフィルタ７’を通過した所定波長の励起光により眼底Ｅｒが照明される。眼底Ｅｒからの赤外蛍光は、対物レンズ２０、穴あきミラー２１の穴部２１ａ、バリアフィルタ２２’、合焦レンズ２３、結像レンズ２４、クイックリターンミラー２５、フィールドレンズ３１、反射ミラー３２、ＴＶリレーレンズ３３を経てＴＶカメラ３４に受像される。ＴＶカメラ３４は受像出力を画像記録装置３６に出力するとともにＴＶモニタ３５に出力し、ＴＶモニタ３５に蛍光眼底像３７の静止画が表示される。画像記録装置３６には、その蛍光眼底像３７の静止画が記録される。
【００３２】
このように赤外蛍光撮影時において、眼底Ｅｒを蛍光初期にはレーザーダイオード１３により照明し、蛍光後期にはキセノンランプ５により照明して撮影することにより、蛍光撮影開始後に経時的に変化する眼底Ｅｒにおける蛍光剤の量に応じた照明がなされ、コストの増大を抑制しつつも照明の効率を確保することができる。
【００３３】
以上の実施の形態では、制御回路１８にタイマを内蔵させてその出力に基づき蛍光初期から蛍光後期への移行を判断することとしたが、眼底Ｅｒからの赤外蛍光光量が所定の基準値を下回ったことを光センサにより検知して、これにより蛍光初期から蛍光後期への移行があったものと判断することとしてもよい。また、任意に光源ユニット８を照明光学系１の光路Ｏ１に対して手動により挿入・離脱することとして、例えば蛍光初期であっても必要に応じて光源ユニット８を光路Ｏ１から離脱させ、キセノンランプ５による静止画撮影を行えるようにしてもよい。
【００３４】
【発明の効果】
本発明は、以上説明したように、被検眼眼底を蛍光初期には赤外レーザにより照明し、蛍光後期にはキセノンランプにより照明して撮影するように構成したので、コストの増大を抑制しつつ照明の効率を確保することができるという効果を奏する。
【図面の簡単な説明】
【図１】本発明に係る眼底カメラの光学系を示す図である。
【図２】バリアフィルタとエキサイタフィルタの特性を示す説明図である。
【図３】レーザーダイオード、ハロゲンランプ、キセノンランプの出力特性を示す説明図である。
【図４】蛍光撮影時の蛍光光量の時間的変化を示す説明図である。
【符号の説明】
５    キセノンランプ
１３  レーザーダイオード（赤外レーザ）
Ｅｒ  眼底
【図１】
0004231152.tif 000002
【図２】
0004231152.tif 000003
【図３】
0004231152.tif 000004
【図４】
0004231152.tif 000005